(57)【特許請求の範囲】
【請求項１】
吸水性材料よりなる外装材本体の裏面に非透水層を設けてなる吸水性外装材において、
該吸水性材料は吸水率１０〜９０％で、厚さが１５〜６０ｍｍの陶器質材料であり、
該外装材本体の表面に、生地と釉薬との反応により水を通すことが可能な微細孔が形成される薄さの透水性釉薬層が設けられており、かつ、
該非透水層は、厚さが０．１〜２．０ｍｍのガラス層又は樹脂層である吸水性外装材。
【請求項２】
請求項１において、壁材である吸水性外装材。
【発明の詳細な説明】
【０００１】
【発明の属する技術分野】
本発明は吸水性外装材に係り、特に、良好な吸放水機能を有し、都市のヒートアイランド現象の低減、住宅の冷房負荷の低減に有効な吸水性外装材に関する。
【０００２】
【従来の技術】
通常、建物の外壁は、風雨から躯体或いは当該壁材自体を保護するために、表面からの水の浸入を防ぐべく様々な手段が講じられている。例えば、セメント又はコンクリート製、金属製、或いは木製の外壁はその表面に塗装を施すことにより、また陶器製のタイル等は表面に施釉することにより、外部からの壁材自体への水の浸入を防ぐと共に、躯体への水の浸入を防止している。一方、磁器、硝子等の完全に非透水性の材料よりなる壁材や、ステンレス、チタン等の高耐腐食性の材料であれば、このような表面処理は不要である。
【０００３】
ところで、近年、大都市のヒートアイランド現象の改善を図るべく、様々な分野で研究開発がなされており、路盤材については、雨水を内部に保有してその蒸発熱で外部環境の冷却効果を示す、吸水性ないし透水性のものが開発されている。
【０００４】
これに対して、上述の非透水性壁材は、水の浸入をほぼ完全に排除するものであり、ヒートアイランド現象に対して何ら効果を示さない。
【０００５】
壁材自体が吸水性を示し、ヒートアイランド現象の低減に有効なものとして、土壁、漆喰壁、赤れんが壁等があるが、これらは施工が容易ではなく、高価であるなどの欠点があり、近年の住宅建築には適さない。
【０００６】
【発明が解決しようとする課題】
上述の如く、従来の外装材のうち、それ自体が非透水性のものでは、ヒートアイランド現象の緩和には全く効果がなく、外装材自体が蓄熱材として作用し、外気温の上昇で外装材の温度も上昇することから、室内温度も上昇して冷却負荷も大きくなるという欠点がある。
【０００７】
一方、土壁、漆喰壁、赤れんが壁のように吸水性を示す古来の壁材は、次のような欠点があり、実用性に欠ける。
【０００８】
(1)  施工職人が激減している上に、工期も長く、非常に高価である。
(2)  れんが積みでは重量が重く、木造躯体には適用できない。
(3)  土壁、漆喰壁は洋風建築、パネル工法に適応できない。
(4)  土壁、漆喰壁は材料を乾燥固化させただけのものであるため表面が柔らかく、ま      た、レンガも建築用途のものは焼成温度が低く比較的表面が柔らかい。このため、      傷が付き易い。
【０００９】
本発明は上記従来の問題点を解決し、良好な吸放水性を有することから、建物自体の蓄熱を防ぐことができ、都市のヒートアイランド現象の緩和に有効であり、しかも施工も容易で低コストで実用性に富む吸水性外装材を提供することを目的とする。
【００１０】
【課題を解決するための手段】
本発明の吸水性外装材は、吸水性材料よりなる外装材本体の裏面に非透水層を設けてなる吸水性外装材において、該吸水性材料は吸水率１０〜９０％で、厚さが１５〜６０ｍｍの陶器質材料であり、該外装材本体の表面に、生地と釉薬との反応により水を通すことが可能な微細孔が形成される薄さの透水性釉薬層が設けられており、かつ、該非透水層は、厚さが０．１〜２．０ｍｍのガラス層又は樹脂層であることを特徴とする。
【００１１】
本発明の吸水性外装材は、本体は吸水性材料よりなり、裏面には非透水層があるため、躯体側への水の浸入を裏面の非透水層で阻止した上で、降雨時の水を本体内に蓄えることができる。そして、日射時には、本体内に蓄えられた水分が蒸発する際にうばう蒸発熱で外装材及び構造物自体を冷却することで日射による温度上昇を防ぐことができる。また、外装材本体の表面に透水性釉薬層を設けてあるため、耐傷付き性、耐汚れ性を付与することができる。
【００１３】
このような本発明の吸水性外装材は、特に壁材に好適である。
【００１４】
【発明の実施の形態】
以下に本発明の実施の形態を詳細に説明する。
【００１５】
図１は本発明の吸水性外装材の実施の形態を示す断面図である。
【００１６】
図１の吸水性外装材１は、吸水性材料よりなる外装材本体２の裏面に非透水層３が設けられ、表面に透水性の釉薬層４が設けられたものである。
【００１７】
本発明において、外装材の本体を構成する吸水性材料は、吸水率１０〜９０％の陶器質材料である。この吸水性材料の吸水率が１０％未満では、吸水量が不足し、蒸発熱によるヒートアイランド現象の緩和効果及び外装材の温度上昇防止効果を十分に得ることができない。吸水率が９０％を超えるような材料では、気孔が多く、外装材としての強度を確保することが困難である。
【００１８】
この外装材本体２の大きさは使用目的に応じて任意に設計されるが、厚さについては、１５〜６０ｍｍとされる。この厚さが１５ｍｍ未満では吸水量が少なく、吸水量が不足し、蒸発熱によるヒートアイランド現象の緩和効果及び外装材の温度上昇防止効果を十分に得ることができない。厚さが６０ｍｍを超えると厚さ及び重量が過大となり外装材として不適当である。
【００１９】
この外装材本体２の裏面に形成する非透水層３は、水の透過を阻止する層であり、釉薬層等のガラス層、又はシリコーン樹脂、エポキシ樹脂、ウレタン樹脂等の樹脂層を採用する。なお、この非透水層は、施工時に躯体側となり、日射や風雨にさらされることはないため、耐紫外線劣化性等を考慮する必要はない。
【００２０】
この非透水層は十分な水不透性が得られれば良く、その厚さは、０．１〜２．０ｍｍの範囲で材質に応じて適宜決定される。また、非透水層３を外装材本体２の側面まで設けても良い。こうすれば、保水と躯体側への水の侵入阻止を向上させることができる。
【００２１】
外装材本体２の表面に形成する透水性釉薬層４は、水を通すことが可能な微細孔を、本体２を構成する生地と釉薬との反応により形成させることで表面からの吸水を可能としたものである。このような釉薬と生地との反応は通常どのような釉薬でも発生する現象であり、一般的には表面を水不透性とするために形成される釉薬層を、その厚さを薄くして形成することによりこのような透水性釉薬層４を形成することができる。このような透水性釉薬層４は、通常の水不透性の釉薬層を形成する場合の８０％以下、例えば４０〜５０％程度の量の釉薬を施釉することにより形成することができる。
【００２２】
本発明において、この透水性釉薬層４を形成することにより、不連続層ではあるが外装材の表面がガラス層で覆われることとなり、外装材の表面にキズや汚れがつき難くなる。また、釉薬層４を外装材本体２の側面まで設けても良い。
【００２３】
このような本発明の吸水性外装材は、特に住宅やビルの壁材として用いた場合、ヒートアイランド現象の緩和及び夏場の冷房負荷の低減に有効であるが、これに限らず、屋根材、その他、塀、門扉等の外構材料としても有効に用いることができる。
【００２４】
【実施例】
以下に実施例及び比較例を挙げて本発明をより具体的に説明する。
【００２５】
実施例１
陶器質素材よりなる本体（吸水率：１５％，寸法：３００ｍｍ×１２００ｍｍ×２０ｍｍ厚さ，日本板硝子（株）製）の表面に透水性釉薬層を形成し、裏面にシリコーンシーラントを約０．５ｍｍ厚さに塗布した壁材４枚を建物の外壁に施工し、雨天の日の翌日、気温が３０度のとき（日射開始４時間後）の外壁の表面温度を測定し、結果を表１に示した。
【００２６】
なお、この壁材の表面の釉薬層は、本体表面にフリット系釉薬を５ｇ／ｍ2施釉して焼成することにより形成したものであり、焼成時に釉薬は本体の生地と反応し、隠蔽効果がなく、気孔の多い透水性の層を形成している。
【００２７】
実施例２
実施例１において、本体を構成する材料として陶器質素材（吸水率：４５％，寸法：３００ｍｍ×１２００ｍｍ×２０ｍｍ厚さ，日本板硝子（株）製）を用いたこと以外は同様にして壁材を製造し、実施例１と同様に日射による温度上昇試験を行い、結果を表１に示した。
【００２８】
比較例１，２
実施例１，２において、透水性の釉薬層を形成する代りに、各々、本体の表面に茶色釉薬を１０ｇ／ｍ2施釉して焼成することにより、非透水性の釉薬層を形成したこと以外は同様にして壁材を製造し、実施例１と同様に日射による温度上昇試験を行い、結果を表１に示した。
【００２９】
【表１】
0003603092.tif 000002
【００３０】
【発明の効果】
以上詳述した通り、本発明の吸水性外装材によれば、良好な吸放水性を有し、建物自体の蓄熱を防ぐと共に、都市のヒートアイランド現象の緩和に有効な吸水性外装材が提供される。しかも、本発明の吸水性外装材は、パネル化も容易で施工性に優れる上に、低コストであるためその実用性は極めて高い。
【図面の簡単な説明】
【図１】本発明の吸水性外装材の実施の形態を示す断面図である。
【符号の説明】
１  吸水性外装材
２  外装材本体
３  非透水層
４  透水性釉薬層
【図１】
0003603092.tif 000003